(57)【特許請求の範囲】
【請求項１】
眼鏡を装着している人の耳と眼鏡のテンプル（２）及び／又はモダン（３）と接続される接続部（４）と、該接続部（４）から耳殻（５）の外側付け根に沿うように湾曲する湾曲モダン（６）と、その湾曲モダン（６）の先端部で耳朶（１３）を表裏から挟持し、耳朶（１３）全体を下方から拘束する耳朶拘束部（７）とを備えたモダンパーツ（１０）の製造方法であって、加熱によって前記接続部（４）と前記湾曲モダン（６）とが塑性変形する前記モダンパーツ（１０）を用意する工程と、塑性変形させた前記接続部（４）を前記眼鏡のテンプル（２）及び／又はモダン（３）に装着し、同じく塑性変形させた前記湾曲モダン（６）を、前記眼鏡を装着した人の耳殻（５）の外側付け根に沿うように整形する工程と、塑性変形させた前記モダンパーツ（１０）を硬化させる工程と、前記眼鏡を装着する人の好みに応じた挟持力の前記耳朶拘束部（７）を前記湾曲モダン（６）の先端部に装着して前記モダンパーツ（１０）を完成させる工程と、を備えたことを特徴とするモダンパーツの製造方法。
【請求項２】
前記モダンパーツ（１０）を形成する素材の中に、熱に変形しない材質（１５）を使用したことを特徴とする請求項１に記載のモダンパーツの製造方法。
【請求項３】
前記接続部（４）が、前記テンプル（２）及び／又はモダン（３）が嵌め込められる溝状体（８）又は筒状体（９）又は枠状体（１７）又は固定体（１）で形成され、前記モダンパーツ（１０）を固定することを特徴とする請求項１又は２に記載のモダンパーツの製造方法。
【請求項４】
前記接続部（４）と前記テンプル（２）及び／又はモダン（３）を、平行に重ね合わせた状態で加熱によって収縮するシュリンクチューブ（１６）で、圧着固定することを特徴とする請求項１〜３の何れかに記載のモダンパーツの製造方法。
【請求項５】
前記湾曲モダン（６）の上端には、眼鏡を装着する人の後頭部の形状に沿って後方斜め上方に伸びる固定具（１１）が取り付けられていることを特徴とする請求項１乃至４の何れかの請求項に記載のモダンパーツの製造方法。
【請求項６】
前記湾曲モダン（６）に、前記耳朶拘束部（７）を上下方向に回動させて、該耳朶拘束部（７）をテンプル（２）に折り重ねるヒンジ（１２）が取り付けられていることを特徴とする請求項１乃至５の何れかの請求項に記載のモダンパーツの製造方法。
【請求項７】
前記耳朶拘束部（７）を前記湾曲モダン（６）に対し、上下方向にスライド可能に取り付けてなることを特徴とする請求項１乃至６の何れかの請求項に記載のモダンパーツの製造方法。
【請求項８】
前記耳朶拘束部（７）に、装飾品（１４）、イヤホーン、補聴器、耳つぼ当接具が取り付け可能となっていることを特徴とする請求項１乃至７の何れかの請求項に記載のモダンパーツの製造方法。
【発明の詳細な説明】
【技術分野】
【０００１】
本発明は、メガネをかけている人の耳の形状に合わせることができる、メガネに取り付けたモダンパーツの製造方法に関する。
【背景技術】
【０００２】
近年、人々は種々の形状の眼鏡をかけている。眼鏡レンズを最適な位置に固定するために、調整する方法として、鼻パッド,モダン３、モダンパーツ１０の形状を変形させている。フロント部を支える鼻パッドへの負荷が増大しており、そうした眼鏡を長時間装着することが問題であることは変わらない。この問題に対しては、例えば、下記特許文献に記載された鼻パットへの負荷を軽減させるものが解決手段の一つしてとして有望視されている。しかし、人の頭部の顔の幅、大きさ、側頭の形状、耳の形状、耳朶１３の形状、左右の耳の位置など、正確に眼鏡を耳に合わせることは難しい。
【先行技術文献】
【特許文献】
【０００３】
【特許文献１】特許第５６２０６０１号
【特許文献２】特許第５６２０６０２号
【特許文献３】特許第４９０２８０５号
【発明の概要】
【発明が解決しようとする課題】
【０００４】
特許文献１と特許文献２は、本件出願人が出願した眼鏡ではあるが、メガネをかける人の耳の形状に合致させることは難しく、普通のメガネ又はウエアラブル用メガネとして使用するには、さらなる改善が必要である。これに対し、特許文献３は、市販の眼鏡と接続できることから、フロント部の重い眼鏡の鼻パットへの負荷を軽減するには適する。しかし、この特許文献３の眼鏡では、鼻パッドのない眼鏡と、後頭部から前方へと、眼鏡の前後を逆向きにして、後頭部から前方へテンプル２，２を伸ばし、その先のモダン２２，２２を耳殻７，７の前方に回すようにした眼鏡保持具とを備えているから、後頭部に回した保持具が髪型を乱すだけでなく、悪い髪ぐせを付けるから、若者や女性からは、敬遠される虞がある。
【０００５】
本発明は、こうした問題を解決しようとするもので、フロント部が重たい眼鏡であっても、鼻の負担を軽減させるために、メガネのモダン部に取り付けたモダンパーツ１０を、人の耳の位置と耳朶１３の形状に正確に合わせるモダンパーツ１０の製造方法を提供することを課題とする。
【課題を解決するための手段】
【０００６】
眼鏡を装着している人の眼鏡のテンプル２及び／又はモダン３の接続部４から、耳殻５の外側付け根に沿うように湾曲する湾曲モダン６の先端部で耳朶１３を表裏から挟持し、耳朶１３全体を下方から拘束する耳朶拘束部７とを備えたモダンパーツ１０の製造方法であって、熱可塑性樹脂を加熱によって塑性変形させた前記接続部４を、前記眼鏡のテンプル２及び／又はモダン３に固定し、同じく塑性変形させた前記湾曲モダン６、耳朶拘束部７を、前記眼鏡を装着した人の好みに応じた挟持力で、耳殻５の外側付け根、耳朶１３に沿うように整形して前記モダンパーツ１０を完成させる。
【０００７】
加熱した場合、モダンパーツ１０全体が熱の影響を受けて柔らかくなるので、装着感を良くする位置を集中して変形させることが重要である。そのために、モダンパーツ１０が変形し過ぎないように、局部的に加熱した箇所が変形する材質を適宜に使用している。
【０００８】
熱可塑性樹脂で製作したモダンパーツ１０の内部、外側、内側に熱に変形しない材質１５を設けることによって、熱可塑性樹脂を使用している部分を加熱した場合、熱可塑性樹脂だけが柔らかくなるので、必要な場所の変形ができる。モダンパーツ１０全体の形状は安定して変わらない。
【０００９】
熱可塑性樹脂によって製作したモダンパーツ１０の接続部４には、溝状体８又は筒状体９又は枠状体１７又は固定体１があり、接続部４を加熱することによって、柔軟になった接続部４をテンプル２及び／又はモダン３に密着するように変形させ、冷却させて固定することができる。
【００１０】
テンプル２及びモダン３とモダンパーツ１０の接続部４を強固に固定するために、加熱することによって収縮するシュリンクチューブ１６で固定すると、シュリンクチューブ１６と同時に接続部４に設けた熱可塑性樹脂も変形して圧着固定される。
【００１１】
モダンパーツ１０の接続部４の上端には、眼鏡を装着する人の後頭部の形状に沿って、後方斜め上方に伸びる固定具１１を取り付けるのが良い。この固定具１１を取り付ければ、眼鏡のフロント部が下がることを阻止するだけでなく、眼鏡のフロント部を鼻骨から浮いた状態に保持することができるから、さらに楽に装着することができる。この固定具１１は加熱することによって、側頭部に沿った形状にできる。
【００１２】
モダンパーツ１０には、該モダンパーツ１０を上下方向に回動させるヒンジ１２を設                                    け、そのヒンジ１２を中心にしてテンプル２と折り重なる方向に折り畳むことができるから、よりコンパクトに収めることができる。ヒンジ１２の部分は、変形しないように加熱させないようにするか、変形しない樹脂を使用すると良い。
【００１３】
人の耳の大きさ、形状は様々であるが、熱可塑性樹脂である耳朶拘束部７が耳朶１３を表裏と下方から拘束することができるから、眼鏡を装着した人の頭部が激しく揺れても、眼鏡が脱落する恐れはない。
【００１４】
眼鏡のテンプル２に嵌め込んだ熱可塑性樹脂で形成した左右のモダンパーツ１０は、各モダンパーツ１０の前記接続部４から耳朶拘束部７に至る部位で、眼鏡を装着した人の左右側頭骨と左右乳様突起とを左右から挟持する形状に変形させる。これにより、モダンパーツ１０を耳殻５だけでなく、側頭骨や乳様突起にも密着させて、眼鏡の左右方向、上下方向のずれを防止することができる。
【００１５】
このモダンパーツ１０は、日常使用している鼻パッド付眼鏡に取り付け可能であるから、モダンパーツ１０を取り付ける位置は、眼鏡店で調整した時の眼鏡のモダン３と耳の位置を変えないように正確にする必要がある。それは眼鏡店では視力矯正の為に、レンズ部と目との間の角膜頂点間距離を、正確に調整しているからである。これにより、眼鏡を装着する、その人だけに適合する唯一の最適な眼鏡を提供することができる。
【００１６】
加えて、このモダンパーツ１０に、補聴器、イヤホーン、耳つぼ当接具を取り付けても、鼻パットに負担を掛けずに使用することができる。また、ピアスやイヤリングの代わりに、モダンパーツ１０に装飾品１４を着脱可能に取り付けてお洒落を楽しむことができるから、女性にも使用して貰えるファッション性に優れた眼鏡とすることができる。
【発明の効果】
【００１７】
本発明１の効果として、本発明のモダンパーツ１０の製造方法によれば、レンズだけの通常の眼鏡だけでなく、電子機器が装着されたフロント部の重い眼鏡であっても、それらの眼鏡全体を耳殻５全体と耳朶１３で支持することができるから、鼻パットに負担を掛けずに長時間、楽に眼鏡を装着することができる。また、モダンパーツ１０の使用に慣れた段階で、鼻パットを取り除くこともできるから、鼻パットのない違和感のない眼鏡にすることができる。
【００１８】
本発明２の効果として、モダンパーツ１０の内部、外側、内側に熱に変形しない材質１５を設けることによって、熱可塑性樹脂を使用している部分を加熱した場合、熱可塑性樹脂だけが柔らかくなるので、必要な場所の変形ができる。モダンパーツ１０全体の形状は安定して変わらない。
【００１９】
本発明３の効果として、本発明に係る接続部４としては、溝状体８又は筒状体９又は枠状体１７又は固定体１などモダン３を嵌め込み可能な形状に、金型によって製作することができる。使用に際しては、その接続部４を予め加熱して柔らかくしておく、その接続部４にモダン３を挿入するか、嵌め込み、その状態で接続部４を冷やして眼鏡のモダン３をモダンパーツ１０に固定させることができる。その状態で湾曲モダン６と耳朶拘束部７を加熱し、このモダンパーツ１０を耳殻５に装着し、自分の指で湾曲モダン６を押して耳殻５の形状に合わせ、そして、耳朶拘束部７を押さえて耳朶１３を拘束するように成形して冷却させれば良い、微調整はこの作業を繰り返すことによって可能である。
【００２０】
本発明４の効果として、モダンパーツ１０の接続部４とテンプル２及びモダン３が重なっている上から、加熱することによって収縮するシュリンクチューブ１６を被せて固定することができる。
【００２１】
本発明５の効果として、モダンパーツ１０の上端に、眼鏡を装着する人の後頭部の形状に沿って、後方斜め上方に伸びる固定具１１を取り付ければ、眼鏡のフロント部が前傾するのを防止するから、眼鏡のフロント部を鼻骨から浮いた状態に保持することができる。
【００２２】
本発明６の効果として、モダンパーツ１０に、モダンパーツ１０を上下方向に回動させるヒンジ１２を取り付ければ、眼鏡のテンプル２に取り付けられたモダンパーツ１０をテンプル２と折り重なる方向に折り畳むことができるから、眼鏡をコンパクトにして持ち歩くことができる。
【００２３】
本発明７の効果として、前記耳朶１３の表裏から該耳朶１３を挟持する耳朶拘束部７は、眼鏡を装着する人の耳の大きさ、形状は様々であるから、耳朶拘束部７を前記湾曲モダン６に対して上下方向にスライド及び着脱可能に取り付ければ、形状の異なった耳朶拘束部７に交換可能であり、眼鏡を装着する人の耳に適するように調整することができる。
【００２４】
本発明８の効果として、モダンパーツ１０にピアスやイヤリングの代わりに、補聴器，イヤホーン、耳つぼ当接具、装飾品１４を着脱可能に取り付けてお洒落を楽しむことができるから、女性にも使用して貰えるファッション性に優れた眼鏡とすることができる。
【図面の簡単な説明】
【００２５】
【図１】本発明１の実施の形態の一例を示す斜視図である。
【図２】本発明２の実施の形態の一例を示す斜視図である。
【図３】本発明３の実施の形態の一例を示す斜視図である。
【図４】本発明３の実施の形態の一例を示す斜視図である。
【図５】本発明３の実施の形態の一例を示す側面図である。
【図６】本発明３の実施の形態の一例を示す側面図である。
【図７】本発明４の実施の形態の一例を示す側面図である。
【図８】本発明５の実施の形態の一例を示す側面図である。
【図９】本発明６の実施の形態の一例を示す側面図である。
【図１０】本発明７の実施の形態の一例を示す側面図である。
【図１１】本発明８の実施の形態の一例を示す側面図である。
【発明を実施するための形態】
【００２６】
以下、本発明に係るモダンパーツ１０の製造法の実施形態の例を、図面を参照しながら説明する。
【実施例１】
【００２７】
本発明の請求項１記載のモダンパーツの製造方法（以下、本発明１と言う）は、眼鏡を装着している人の耳と眼鏡のテンプル２及び／又はモダン３と接続される接続部４と、該接続部４から耳殻５の外側付け根に沿うように湾曲する湾曲モダン６と、その湾曲モダン６の先端部で耳朶１３を表裏から挟持し、耳朶１３全体を下方から拘束する耳朶拘束部７とを備えたモダンパーツ１０の製造方法であって、加熱によって前記接続部４と前記湾曲モダン６とが塑性変形する前記モダンパーツ１０を用意する工程と、塑性変形させた前記接続部４を前記眼鏡のテンプル２及び／又はモダン３に装着し、同じく塑性変形させた前記湾曲モダン６を、前記眼鏡を装着した人の耳殻５の外側付け根に沿うように整形する工程と、塑性変形させた前記モダンパーツ１０を硬化させる工程と、前記眼鏡を装着する人の好みに応じた挟持力の前記耳朶拘束部７を、前記湾曲モダン６の先端部に装着して、前記モダンパーツ１０を完成させる工程と、を備えたことを特徴とするモダンパーツの製造法。
【００２８】
実施の形態の一例として、第１ａ図は本発明１のモダンパーツ１０の接続部４にテンプル２及びモダン３を連結したことを示す斜視図である。接続部４はテンプル２及び／又はモダン３の形状によって、接続方法は異なり接続部４の形状は限定しない。第１ｂ図はモダンパーツ１０の接続部４にテンプル２及びモダン３を連結したメガネをかけていることを示す後面図である。モダンパーツ１０の湾曲モダン６は、耳殻５に沿って塑性変形させ、耳朶１３を下方から拘束するように耳朶拘束部７を塑性変形させている。
【００２９】
耳朶拘束部７の形状は、人の耳朶１３の形状が様々であり限定しない。耳朶拘束部７を耳朶１３と同一色、同一形状にすることにより目立ちにくくできる。デザインによりイヤリングをしているように見える。髪の毛の多い人の場合、耳全体が髪の毛で隠されるので、どのような構成になっているか分からない。
【００３０】
本発明１のモダンパーツ１０を熱によって塑性変形させるには、熱可塑性樹脂を使用することで可能となる。加熱する方法として、熱湯の中に入れるか、ヘヤードライヤーを使用すると良い。耳朶拘束部７は加熱して耳にかけても熱くない温度にコントロールして、接続部４と湾曲モダン６と耳朶拘束部７を皮膚に当接させて拘束するように変形させて整形することができるので、簡単に耳殻５や耳朶１３の形状になる。そして、温度が下がると硬化して、接続部４はテンプル２又はモダン３を、湾曲モダン６は耳殻５の根本を、耳朶拘束部７は適宜の強さで耳全体を拘束することになる。モダンパーツ１０が耳の形状に合わない場合は、この作業を繰り返して、メガネをかけている人が装着感の良いモダンパーツ１０になるまで調整することができる。
【実施例２】
【００３１】
本発明の請求項２記載のモダンパーツの製造方法（以下、本発明２と言う）は、前記モダンパーツ１０を形成する素材の中に、熱に変形しない材質１５を使用したことを特徴としている。
【００３２】
実施の形態の一例として、第２ａ図は、本発明２の接続部４に熱に変形しない材質１５の枠１８を使用したことを示す斜視図である。第２ｂ図はモダンパーツ１０の外側に熱に変形しない材質１５を設け、接続部４に設けた枠１８と連結したことを示す斜視図である。第２ｃ図は接続部４、湾曲モダン６、耳朶拘束部７の中に、熱に変形しない材質１５として金属のシャフトを使用したことを示す側面図である。熱に変形しない材質１５を入れたことによって、熱可塑性樹脂を使用している部分を加熱した場合、熱可塑性樹脂だけが柔らかくなるので、必要な場所の変形ができる。モダンパーツ１０全体の形状は安定している。
【００３３】
モダンパーツ１０の芯材として熱に変形しない材質は、金属、シリコン、ＣＰ、ポリエステル、アセテート、ＰＶＣ、ポリアミド、ニュクレル、ベータプラスチックなどである。熱可塑性樹脂の材質には、ポレオリフィン、ポリプロピレン、ポリエチレン、アクリル、ナイロン、ポリカーボネイト、ポリアセタール、ウレタン樹脂などである。
【実施例３】
【００３４】
本発明の請求項３記載のモダンパーツの製造方法（以下、本発明３と言う）は、前記接続部４が、前記テンプル２及び／又はモダン３と連結するには、筒状体９又は溝状体８又は枠状体１７又は固定体１で形成され、前記モダンパーツ１０を固定することを特徴としている。
【００３５】
実施の形態の一例として、第３ａ図は本発明３の前記モダンパーツ１０の接続部４に取り付けた筒状体９にモダン３を挿入したことを示す斜視図である。筒状体９の内径はモダン３の外形より大きいサイズを選択する。第３ｂ図はモダン３がへ字状に曲がっているので、接続部４の筒状体９に入るようにモダン３の一部分を切断したことを示す斜視図である。接続部４を加熱した状態でモダン３との隙間を無くすように塑性変形させて固定することができる。筒状体９を長くすることによって、より長いモダン３に固定できる。モダン３の形状を筒状体９に入る形状にカットしても良い。
【００３６】
実施の形態の一例として、第４ａ図は本発明３の接続部４に前後二箇所に枠状体１７を設け、前方の枠状体１７は下方を開口させ、後方の枠状体１７は上方を開口させていることを示す斜視図である。この接続部４にモダン３を嵌める場合は、先ず前方の枠状体１７に下方からテンプル２を嵌め込み、次に後方の枠状体１７にモダン３を上方から嵌め込む。第４ｂ図は本発明３の接続部４全体が上方が開口した枠状体１７を設けたことを示す斜視図である。この標準的な弾力性のある素材で製作した枠状体１７は、上方からテンプル２及びモダン３を嵌め込みことができる。枠状体１７を予め用意しておいて、モダン３に密着させることができる。
【００３７】
実施の形態の一例として、第５ａ図は本発明３の溝状体８に成形した接続部４にモダン３を嵌め込んだモダンパーツ１０を、耳にかけることができる適宜の温度にして、耳にかけた状態を示す側面図である。太い点線部は耳殻５の根本の形状には合っていないことを示している。第５ｂ図はモダンパーツ１０を上方から押して耳殻５の根本に沿って合わせた後、耳朶拘束部７を耳朶１３の表面の形状に変形させたことを太い点線が示す側面図である。この状態でモダンパーツ１０が冷えるまで眼鏡をかけていれば良い。
【００３８】
実施の形態の一例として、第６ａ図は本発明３の接続部４にモダン３から外側に突出した形状の固定体１を設け、接続部４にモダン３を重ねた状態を示す側面図であり、第６ｂ図は接続部４に設けた固定体１を加熱して、モダン３を包むように折り曲げたことを示す側面図である。二箇所設けた固定体１によって、モダンパーツ１０をモダン３に固定することができる。
【実施例４】
【００３９】
本発明の請求項４記載のモダンパーツの製造方法（以下、本発明４と言う）は、前記接続部４と前記テンプル２及び／又はモダン３を、平行に重ね合わせた状態で加熱によって収縮するシュリンクチューブ１６で、圧着固定することを特徴としている。
【００４０】
実施の形態の一例として、第７ａ図は、本発明４のモダンパーツ１０の接続部４に嵌め込んだテンプル２及びモダン３の上からシュリンクチューブ１６で固定したことを示す側面図である。接続部４とモダン３の形状が異なっていても、加熱することによってその形状に密着して収縮するので、強く固定できる。第７ｂ図は、テンプル２及びモダン３と同じような形状のモダンパーツ１０の接続部４の上からシュリンクチューブ１６で固定したことを示す側面図である。加熱することによって、接続部４に設けた熱可塑性樹脂も同時に変形して圧着固定される。
【実施例５】
【００４１】
本発明の請求項５記載のモダンパーツの製造方法（以下、本発明５と言う）は、前記湾曲モダン６の上端には、眼鏡を装着する人の後頭部の形状に沿って後方斜め上方に伸びる固定具１１が取り付けられていることを特徴としている。
【００４２】
実施の形態の一例として、第８ａ図は、本発明４のモダンパーツ１０の上端に固定具１１の下端を取り付けた眼鏡の斜視図であり、第８ｂ図は、本発明４の固定具１１を取り付けた眼鏡を掛けている人の側面図である。本発明３のモダンパーツ１０の上端部に取り付けた固定具１１は頭の形状に沿って斜め上方に延設し、先端部が頭側に沿って、僅かに内側に湾曲することにより、左右側頭骨を挟持することができるので、重いレンズ部であっても下がることを止め、浮いた状態を保持する補助的な役割をしている。
【実施例６】
【００４３】
本発明の請求項６記載のモダンパーツの製造方法（以下、本発明６と言う）は、前記湾曲モダン６に、前記耳朶拘束部７を上下方向に回動させて、該耳朶拘束部７をテンプル２に折り重ねるヒンジ１２が取り付けられていることを特徴としている。
【００４４】
実施の形態の一例として、第９ａ図は、本発明６のモダンパーツ１０を接続部４に設けたヒンジ１２により回動自在にしたモダンパーツ１０の側面図であり、第９ｂ図は、後方に押し上げたモダンパーツ１０を、後方上方に略２７０度折り曲げて折り畳んだことを示す側面図である。モダンパーツ１０をテンプル２に折り重なる方向に略２７０度折り曲げて折り畳むことによって、従来の眼鏡の大きさになり、コンパクトにして持ち運ぶことができる。
【００４５】
実施の形態の一例として、第９ｃ図は、本発明６のモダンパーツ１０を後方に押し上げ略水平に止めた状態を示している。この状態での作用効果は、左右テンプル２が左右のモダンパーツ１０の長さだけ伸びているので、左右テンプル２全体が長くなる。この左右テンプル２で首を挟むようにして、レンズ部側が顎の下に来るように眼鏡全体を後方に移動させて、左右のモダンパーツ１０を両肩に乗せると眼鏡を肩にかけることができる。眼鏡の置いた場所を探す必要がなく便利である。
【実施例７】
【００４６】
本発明の請求項７記載のモダンパーツの製造方法（以下、本発明７と言う）は、前記耳朶拘束部７を前記湾曲モダン６に対し、上下方向にスライド可能に取り付けてなることを特徴としている。
【００４７】
実施の形態の一例として、第１０ａ図は、本発明７の耳朶拘束部７が湾曲モダン６に対してスライド可能に取り付けられていることを示す側面図であり、第１０ｂ図は、耳朶拘束部７を下方に引き下げた状態を示している。これは耳朶拘束部７に設けた枠に湾曲モダン６を摺動自在に挿入している。耳の大きさによって耳朶１３の位置に合せることができる。形状の異なった耳朶拘束部７と交換が可能となる。
【実施例８】
【００４８】
本発明の請求項８記載のモダンパーツの製造方法（以下、本発明８と言う）は、前記耳朶拘束部７に、装飾品１４，イヤホーン、補聴器、耳つぼ当接具が取り付け可能となっていることを特徴としている。
【００４９】
実施の形態の一例として、第１１図は、本発明８のモダンパーツ１０に装飾品１４を取り付けた側面図である。この装飾品１４によりモダンパーツ１０の外観から見える部分を隠すことができる。イヤリング，ピアスの代わりにイヤーポイントとして装飾品１４を取り付けてお洒落を楽しむことができる。耳つぼ当接具とは、耳のツボに当接するように耳朶拘束部７から接続棒を延設して、耳つぼを刺激することによって、其々のツボ効果が得られる。
【００５０】
本発明でモダンパーツ１０を取り付けることができる眼鏡は，老眼鏡，度付きメガネ，ＴＶ・映画用３Ｄメガネ，伊達メガネ，サングラス，風防メガネ，カメラ３７を取り付けたメガネ，拡大鏡を入れたメガネ，ライトを取り付けたメガネ，度数調整可能な液体レンズメガネ，剣道用メガネ，ウエアラブル機器１５を取り付けたメガネ，スクリーンに表示される画像を観察するための画像観察用メガネ，拡張現実（ＡＲ）機能を備えたメガネ，ヘッドバンドを取り付けた手術用メガネなどである。
【産業上の利用可能性】
【００５１】
以上のように、本発明のモダンパーツ１０の製造方法によって製作したモダンパーツ１０は、日常愛用している形状が異なる様々の眼鏡に、簡単に短時間で合わせて取り付けることができる。接続部４の後端に取り付けたヒンジ１２によって、回動自在に設けたモダンパーツ１０を折り畳むことでコンパクトになる。モダンパーツ１０を略水平に伸ばしてメガネを首にかけられる。モダンパーツ１０に取り付けた装飾品１４により、ファッション性に優れた眼鏡である。様々な機能を設けることができるモダンパーツ１０の製造方法として適している。
【符号の説明】
【００５２】
１    固定体
２    テンプル
３    モダン
４    接続部
５    耳殻
６    湾曲モダン  
７    耳朶拘束部
８    溝状体
９    筒状体
１０    モダンパーツ
１１    固定具
１２    ヒンジ
１３    耳朶
１４    装飾品
１５    熱に変形しない材質
１６    シュリンクチューブ
１７    枠状体
１８    枠
【要約】
【課題】
フロント部が重たい眼鏡であっても、鼻の負担を軽減させるために、メガネのモダン部に取り付けたモダンパーツ１０を、人の耳位置と耳朶１３の形状に正確に合わせる製造方法を提供することを課題とする。
【解決手段】  
眼鏡を装着している人の耳にかけている眼鏡のテンプル２、の接続部４から、耳殻５の外側付け根に沿うように湾曲する湾曲モダン６の先端部で耳朶１３を表裏から挟持し、耳朶１３全体を下方から拘束する耳朶拘束部７とを備えたモダンパーツ１０の製造方法であって、加熱によって塑性変形させた前記接続部４を、眼鏡のテンプル２、モダン３に固定し、同じく塑性変形させた前記湾曲モダン６、耳朶拘束部７を、前記眼鏡を装着した人の好みに応じた挟持力で、耳殻５の外側付け根、耳朶１３に沿うように整形して前記モダンパーツ１０を完成させる構成である。
【選択図】  図１【図１】
0005763857.tif 000002
【図２】
0005763857.tif 000003
【図３】
0005763857.tif 000004
【図４】
0005763857.tif 000005
【図５】
0005763857.tif 000006
【図６】
0005763857.tif 000007
【図７】
0005763857.tif 000008
【図８】
0005763857.tif 000009
【図９】
0005763857.tif 000010
【図１０】
0005763857.tif 000011
【図１１】
0005763857.tif 000012